(57)【要約】【課題】本考案は、新式の金属蒸着膜表層の加飾効果を有するガラスユニットを提供する。【解決手段】金属蒸着膜表層を有するガラスユニットは、ガラス本体と、ガラス本体表面に真空気相蒸着成膜法で結合させた金属蒸着膜表層とを有し、該ガラス本体は、取付部と作用部とを有し、金属蒸着膜表層が少なくとも、作用部が属する範囲に結合し且つ分布するように設けられ、ガラス本体の引張強度（Ｔｅｎｓｉｌｅ  Ｓｔｒｅｎｇｔｈ）は１２０〜２００ＭＰａ（Ｎ／ｍｍ２）の間にあり、金属蒸着膜表層の厚さは０．１〜１．０μｍの間にあり、金属蒸着膜表層の被覆率は９５％〜１００％の間にあり、金属蒸着膜表層の材料は窒化ジルコニウム、窒化ニッケル、窒化モリブデン、窒化チタン、窒化クロム、窒化シリコンのうちいずれか一つである。【選択図】図１
0003169826.tif 000002
【実用新案登録請求の範囲】
【請求項１】
ガラス本体と、  該ガラス本体の表面に真空気相蒸着成膜法で結合させた金属蒸着膜表層とを有し、  前記ガラス本体は、取付部と作用部とを有し、前記金属蒸着膜表層が少なくとも、前記作用部が属する範囲に結合し且つ分布するように設けられ、  前記ガラス本体の引張強度（Ｔｅｎｓｉｌｅ  Ｓｔｒｅｎｇｔｈ）は、１２０〜２００ＭＰａ（Ｎ／ｍｍ２）の間にあり、  前記金属蒸着膜表層の厚さは、０．１〜１．０μｍの間にあり、  前記金属蒸着膜表層の被覆率は、９５％〜１００％の間にあり、  前記金属蒸着膜表層の材料は、窒化ジルコニウム、窒化ニッケル、窒化モリブデン、窒化チタン、窒化クロム、窒化シリコンのうちいずれか一つであることを特徴とする金属蒸着膜表層を有するガラスユニット。
【請求項２】
前記ガラス本体における、金属蒸着膜表層に結合するための表面は、滑らかな面またはガサガサ面の形態であり、  前記ガラスユニットは、ラック、ラックジョイント、取っ手、蛇口本体、蛇口台座または石鹸受けであることを特徴とする請求項１に記載の金属蒸着膜表層を有するガラスユニット。
【請求項３】
ガラス本体と、  該ガラス本体の表面に真空気相蒸着成膜法で結合させた金属蒸着膜表層とを有し、  前記ガラス本体は、取付部と作用部とを有し、前記金属蒸着膜表層が少なくとも、前記作用部が属する範囲に結合し且つ分布するように設けられ、  前記ガラス本体の引張強度（Ｔｅｎｓｉｌｅ  Ｓｔｒｅｎｇｔｈ）は、１２０〜２００ＭＰａ（Ｎ／ｍｍ２）の間にあり、  前記金属蒸着膜表層の厚さは、０．１〜１．０μｍの間にあり、  前記金属蒸着膜表層の被覆率は９５％〜１００％の間にあり、  前記金属蒸着膜表層の材料は、窒化ジルコニウム、窒化ニッケル、窒化モリブデン、窒化チタン、窒化クロム、窒化シリコンのうちいずれか一つであり、  前記金属蒸着膜表層に局所的に蒸着処理を行わないように形成された透かし部を少なくとも一つ有し、各該透かし部を介して前記ガラス本体の状態を直接に観察可能に構成され、  前記ガラス本体の内部には、発光ユニットが少なくとも一つ設けられ、該発光ユニットが点灯したとき、その光線が前記透かし部を介して外部に漏れ出るように設けられていることを特徴とする金属蒸着膜表層を有するガラスユニット。
【請求項４】
前記ガラス本体における、金属蒸着膜表層に結合するための表面は、滑らかな面またはガサガサ面の形態であり、  前記ガラスユニットは、ラック、ラックジョイント、取っ手、蛇口本体、蛇口台座または石鹸受けであり、  前記透かし部は、幾何形状、不規則形状、擬態形状、文字のいずれかの一つの形態で設けられ、  前記ガラス本体は、無色または有色ガラスで構成されることを特徴とする請求項３に記載の金属蒸着膜表層を有するガラスユニット。
【考案の詳細な説明】
【技術分野】
【０００１】  本考案は、ガラスユニットに関わり、特に金属蒸着膜表層の加飾効果を兼ね備えた新式の構造設計に関する。
【背景技術】
【０００２】  現在の市販商品は通常、その表面に形成された金属蒸着膜の質感で、ハイテク感、高品質の製品スタイルと属性を作り出すものが相当に多いであり、例えば、バス用品（例えば、ラック、ラックジョイント、取っ手、蛇口本体、蛇口台座など）は、該金属蒸着膜表層の質感がよく広く利用されている。【０００３】  また、表層に金属蒸着膜が設けられる従来の商品では、その基材は通常、金属管体または金属ダイカスト部品で構成されるものであるが、このような構成形態は実際の応用経験から見ると、次のような問題点がやはり存在していた。【０００４】  一つ目は、金属蒸着膜の耐久性について、バス用品から言えば、商品が高湿度の使用環境に置かれているため、一定の期間で使用すると、その金属蒸着膜表層は、往々外部からの湿気が金属基材の中に浸入し、錆びが生じたり、更に金属蒸着膜表層がすぐ脱落してしまうため、長く使えなくなったという問題点と欠点がある。【０００５】  二つ目は、材料コストについて、近年、国際間の金属材料の価格が高騰し続けるため、金属関連製品のコストは金属材料の使用量の増加と伴って倍増していた。このため、全業界の利益スペースが相対的に大幅に縮小される一方、市場ではコストの増加分を消費者に転嫁しかねるため、コスト削減と商品の品質をある程度確保するとを両立するのは業界の急務となる。【０００６】  三つ目は、商品形態設計のバラエティについて、周知商品の表面に金属蒸着膜が設けられている場合、その表面には金属の光沢感を現すことができるが、多様且つ新式の質感を更に持たせるのが難しいことで、それも明らかに不十分なところである。【０００７】  このため、上述した表面に金属蒸着膜を有する従来の製品構造に存在する問題点について、どのように、より理想的で実用性のある新式の構造を開発するのかは、関連業界がそれを研究開発、技術的な難関を突破するよう努力する目標と方向でもある。【０００８】  上述した問題点に鑑みて、考案者は、その関連製品の製造開発や設計に携わる長年の経験を持っており、上述の目標について、細やかに設計し、それを慎重に評価したうえ、ようやく実用性のある本考案を得られた。
【考案の概要】
【考案が解決しようとする課題】
【０００９】  本考案は、金属蒸着膜表層の加飾効果を有するガラスユニット構造を提供することを目的とし、解決しようとする課題は、より理想的な実用性を有する、新式の金属蒸着膜表層の加飾効果を有するユニット製品構造を開発、提供することである。
【課題を解決するための手段】
【００１０】  本考案の課題を解決しようとする技術特徴として、ガラス本体と、該ガラス本体の表面に真空気相蒸着成膜法で結合させた金属蒸着膜表層とを有し、前記ガラス本体は、取付部と作用部とを有し、前記金属蒸着膜表層が少なくとも、前記作用部が属する範囲に結合し且つ分布するように設けられ、前記ガラス本体の引張強度（Ｔｅｎｓｉｌｅ  Ｓｔｒｅｎｇｔｈ）は、１２０〜２００ＭＰａ（Ｎ／ｍｍ２）の間にあり、前記金属蒸着膜表層の厚さは、０．１〜１．０μｍの間にあり、前記金属蒸着膜表層の被覆率は、９５％〜１００％の間にあり、前記金属蒸着膜表層の材料は、窒化ジルコニウ、窒化ニッケル、窒化モリブデン、窒化チタン、窒化クロム、窒化シリコンのうちいずれか一つである金属蒸着膜表層を有するガラスユニットにある。この新式の設計により、本考案は従来の技術に比べれば、金属蒸着膜とガラス本体との間でより緊密に結合することができるため、防錆性、耐酸・耐アルカリ性、耐高温及び耐久性に優れるという長所、進歩性を有する。該ガラス本体に合わせる高強度の強化性の構造設計により、従来の金属ダイカスト部品、金属管体製品の代わりに用いられることが可能になり、製造コスト削減につながる経済効果が得られる。【００１１】  本考案のもう一つの目的として、ガラスユニットは、前記金属蒸着膜表層に局所的に蒸着処理を行わないように形成された透かし部を少なくとも一つさらに有し、各該透かし部を介して前記ガラス本体の状態を直接に観察可能に構成され、前記ガラス本体内部には、発光ユニットが少なくとも一つ設けられ、該発光ユニットが点灯したとき、その光線が前記透かし部を介して外部に漏れ出るように設けられている。この新式の設計により、本考案は従来の技術に比べれば、発光ユニットのライト付け設計を合わせるように該透かし部の形状を設計することで、ガラスユニットの表面に金属の光沢感を現すことができるとともに、局所的に光を通過させる效果を表すことができる。よって、商品形態設計のバラエティを大幅に向上することができ、ガラスユニット商品の創作性と価値感を高めることができる。
【考案の効果】
【００１２】  １．本考案の金属蒸着膜表層の加飾効果を有するガラスユニット構造にあっては、ガラス本体、及び該ガラス本体の表面に真空気相蒸着成膜法で結合させた金属蒸着膜表層からなる構造設計に、該ガラス本体の引張強度は１２０〜２００ＭＰａ（Ｎ／ｍｍ２）の間にある強化式構造、該金属蒸着膜表層の厚さは０．１〜１．０μｍの間にあり、その被覆率は９５％〜１００％の間にあり、その材料は窒化ジルコニウム、窒化ニッケル、窒化モリブデン、窒化チタン、窒化クロム、窒化シリコンのうち、いずれかの一つを選ぶものであることに設けられている。この新式の構造設計により、本考案は、背景技術の従来の構造に比べれば、本考案の金属蒸着膜とガラス本体の間がより緊密に結合することができるため、防錆性、耐酸・耐アルカリ性、耐高温及び耐久性に更に優れるという長所と進歩性を有する。また、該ガラス本体に合わせる高強度・強化性の構造設計により、従来の金属ダイカスト部品、金属管体製品の代わりに用いられ、製造コスト削減につながる経済効果を得ることができる。【００１３】  ２．本考案のもう一つの技術特徴と言えば、該ガラスユニットは、透かし部を少なくとも一つ有し、ガラス本体の内部には発光ユニットが更に設けられている。発光ユニットが点灯したとき、その光線が透かし部を介して外部に漏れ出るように設けられている。この新式の設計により、本考案は先行技術に比べれば、発光ユニットのライト付け設計を合わせるように該透かし部の形状を設計することで、ガラスユニットの表面に金属の光沢感を現すことができるとともに、局所的に光を通過させる效果を表すことができる。よって、商品形態設計のバラエティを大幅に向上することができ、ガラスユニット商品の創作性と価値感を高めることができる。
【図面の簡単な説明】
【００１４】
【図１】本考案のガラスユニットの第１の実施形態の平面断面図。
【図２】本考案のガラスユニットの第２の実施形態の平面断面図。
【図３】本考案のガラスユニットの第３の実施形態の平面断面図。
【図４】本考案のガラスユニットの第３の実施形態の斜視図。
【図５】本考案のガラスユニットの第４の実施形態の平面図（一部の拡大断面図）。
【図６】本考案のガラスユニットの第５の実施形態の平面図（一部の拡大断面図）。
【考案を実施するための形態】
【００１５】  図１に示すのは、本考案の金属蒸着膜表層の加飾効果を有するガラスユニット構造の好適な実施例であるが、これらの実施例は、説明のみに用いられるもので、実用新案登録請求の際、これらの構造に限定されないものとする。  ガラスユニットＡは、ガラス本体１０、及び真空気相蒸着成膜法（例えば、物理または化学気相蒸着法）で該ガラス本体１０表面に結合させた金属蒸着膜表層２０からなる。ガラス本体１０は、取付部１１と作用部１２を有し、該金属蒸着膜表層２０が少なくとも、該作用部の属する範囲に結合し且つ分布するよう設けられている。また、該ガラス本体１０の引張強度（Ｔｅｎｓｉｌｅ  Ｓｔｒｅｎｇｔｈ）は１２０〜２００ＭＰａ（Ｎ／ｍｍ２）の間、すなわち、強化ガラスの構造等級にある。該金属蒸着膜表層２０の厚さは０．１〜１．０μｍの間にあり、該金属蒸着膜表層２０の被覆率は９５％〜１００％の間にある。該金属蒸着膜表層２０の材料は、窒化ジルコニウム、窒化ニッケル、窒化モリブデン、窒化チタン、窒化クロム、窒化シリコンのうちいずれか一つである。
【００１６】  該ガラス本体１０における金属蒸着膜表層２０の結合するための表面は、滑らかな面またはガサガサ面の形態である。すなわち、金属蒸着膜表層２０の表面質感は、滑らかな面（又は鏡面という）、またはガサガサ面（またはサンドブラスト面、模様入り面という）の形態で形成されている。
【００１７】  該ガラスユニットＡの具体的な製品機能・形態は、ラック、ラックジョイント、取っ手、蛇口本体、蛇口台座、石鹸受けなどが含まれる。図１に示すガラスユニットＡはラックジョイントの筐体部分であり、図２に示すガラスユニットＡ２は取っ手品であり、図５に示すガラスユニットＡ４は蛇口本体であり、図６に示すガラスユニットＡ５は石鹸受けである。
【００１８】  また、図３、図４に示すのは、本考案の金属蒸着膜表層の加飾効果を有するガラスユニット結構形態のもう一つの実施例である。本実施例は、前述した実施例との相違点と言えば、該ガラスユニットＡ３（本実施例は蛇口の取っ手）は、少なくとも一つの透かし部３０がさらに有する。該透かし部３０は、該金属蒸着膜表層２０には、局所的に蒸着処理を行わないように形成されている。これによって、各該透かし部３０を介して該ガラス本体１０の状態を直接に観察できる。該ガラス本体１０の内部には、少なくとも一つの発光ユニット４０がさらに設けられる（図３参照、ＬＥＤ発光モジュールに設けてもよい）。該発光ユニット４０が点灯したとき、その光線Ｌが該透かし部３０を介して外部に漏れ出るように構成されている（図３、図４のＬ２に示す通り）。該発光ユニット４０の給電方法と起動方法は限定されない。
【００１９】  該透かし部３０は、幾何形状（例えば、円形、三角形、多辺形、星形など）、不規則形状、擬態形状（例えば、人物、動物、植物などの模擬形態）、文字のうちいずれかの一つの形態で設けられてもよい。
【００２０】  また、該ガラス本体１０は、無色ガラスまたは有色ガラスで構成される実施形態であってもよい。該透かし部３０の設計及び該金属蒸着膜表層２０の色の組み合わせの設計により、類似する色の組み合わせ、または対照色の組み合わせを達成することができ、豊か且つ多様な商品スタイルが得られ、使用者の新しさを求めるニーズを満足することができる。
【００２１】  上述の実施の形態に掲示したのは、本考案を具体的に説明するために用いられるものであり、文中で特定の専門用語で説明してきたが、それを以って、本考案の実用新案登録請求の範囲を限定してはならないとし、当該技術分野が分かる者は、本考案の精神やコンセプトを理解したうえ、その変更や改造を行って、それと同等な効果を得たとしても、それらの変更や改造は、後述の実用新案登録請求の範囲に含まれるものとする。
【産業上の利用可能性】
【００２２】  本考案に係る金属蒸着膜表層を有するガラスユニットは、ガラスユニット、特に金属蒸着膜表層の加飾効果を兼ね備えたガラスユニットに利用可能である。
【符号の説明】
【００２３】  Ａ    ガラスユニット  １０  ガラス本体  １１  取付部  １２  作用部  ２０  金属蒸着膜表層  ３０  透かした部  ４０  発光ユニット
【図１】
0003169826.tif 000003
【図２】
0003169826.tif 000004
【図３】
0003169826.tif 000005
【図４】
0003169826.tif 000006
【図５】
0003169826.tif 000007
【図６】
0003169826.tif 000008